(57)【特許請求の範囲】
【請求項１】
映像データベースに蓄積されている映像の中から映像区分識別子により特定される区分映像を再生してカラオケ演奏時の歌詞字幕の背景映像として出力するカラオケ装置において、
各楽曲の趣向に合わせて各楽曲ごとに制作され、１曲分のカラオケ演奏期間に再生すべき複数の区分映像を順番に指定するための映像区分識別子の順列からなる台本データを各楽曲と対応付けした台本データベースを管理する手段と、
ある楽曲をカラオケ演奏する際に、その楽曲用の台本データが前記データベースに登録されているか否かを調べ、台本データが登録されていれば、それを背景映像再生処理に供するオリジナル台本検索手段と、
ある楽曲をカラオケ演奏する際に、その楽曲用の台本データが前記データベースに登録されていなかった場合、その楽曲と所定の分類属性が共通する他の楽曲に対応付けされている台本データを前記データベースから１つ選出し、それを背景映像再生処理に供する代替台本選出手段と、
を備えたことを特徴とするカラオケ装置における背景映像システム。
【発明の詳細な説明】
【０００１】
【発明の属する技術分野】
本発明はカラオケ装置に関し、とくに、カラオケ装置における背景映像システムに関する。
【０００２】
【従来の技術】
カラオケ装置において、カラオケ楽曲の伴奏音楽の演奏時にムード映像としてディスプレイ表示するため、長時間分の映像が映像データベースに格納されていることが一般的である。この映像データベースに格納されている長時間分の映像は、背景映像として演奏楽曲に合わせて適宜な区分が選択再生されることとなる。
【０００３】
その選択再生方法としては、長時間分の映像の区分毎に映像区分識別子を付与してこれを管理し、楽曲毎に再生すべき区分映像を当該映像区分識別子の順列でもって記述した背景映像の台本データを用いる手法が提案されている。この場合、演奏楽曲の台本データを参照したカラオケ装置は、それに即して該当ディスク媒体から台本通りの映像区分識別子を認識し、対応する区分映像をつなぎ合わせ再生してゆく。
【０００４】
【発明が解決しようとする課題】
しかし上記台本データが設定されていない新曲等について背景映像の再生を行おうとすれば、これを迅速円滑に処理することが困難であった。この場合、例えば楽曲ジャンル毎の緊急映像を予め用意しておき、演奏予定の新曲と同じジャンルの緊急映像を背景映像として選択し再生することが考えられていた。しかしこの手法を実行した場合、例えば「ロック」や「演歌」といったジャンルがいくら同じとはいえ、もともと楽曲に跨ってマッチしやすい普遍性を主に考慮して制作された緊急映像と、新曲の醸し出す真新しいイメージとのギャップは大きくなりやすい。カラオケ利用者にとって、勢い込んで挑戦した新曲であるのに、その背景映像に対して楽曲と違和感がある、あるいは他の楽曲演奏時に何度か見た覚えがあるなどといった思いを抱くことになれば、カラオケの興趣がここで１つそがれることになる。
【０００５】
一方、続々とリリースされる新曲に完全対応するべく、楽曲のイメージやストーリー展開に沿った優れた背景映像をタイムラグ無く制作して、その順列や組合せを記述した台本データを構成することは、コスト的にも非常に難しいと言える。つまり、新曲のリリース直後にはどうしても前記緊急映像に頼らざるを得ない状況が現存したのである。
【０００６】
そこで本発明は、カラオケ演奏する楽曲にオリジナルの台本データが設定されていなかった場合に、カラオケ演奏する楽曲にマッチする台本データを簡便かつ迅速に選択し適宜な背景映像を再生可能な背景映像システムを提供することを目的としている。
【０００７】
【課題を解決するための手段】
この発明は上記目的を達成するためになされたカラオケ装置における背景映像システムであって、第１の発明は、映像データベースに蓄積されている映像の中から映像区分識別子により特定される区分映像を再生してカラオケ演奏時の歌詞字幕の背景映像として出力するカラオケ装置において、各楽曲の趣向に合わせて各楽曲ごとに制作され、１曲分のカラオケ演奏期間に再生すべき複数の区分映像を順番に指定するための映像区分識別子の順列からなる台本データを各楽曲と対応付けした台本データベースを管理する手段と、ある楽曲をカラオケ演奏する際に、その楽曲用の台本データが前記データベースに登録されているか否かを調べ、台本データが登録されていれば、それを背景映像再生処理に供するオリジナル台本検索手段と、ある楽曲をカラオケ演奏する際に、その楽曲用の台本データが前記データベースに登録されていなかった場合、その楽曲と所定の分類属性が共通する他の楽曲に対応付けされている台本データを前記データベースから１つ選出し、それを背景映像再生処理に供する代替台本選出手段と、を備えたことを特徴とする。
【０００８】
第２の発明は、第１の発明において、多数のメディアを選択的に再生位置にセットしながら動画映像を再生してカラオケ演奏時の歌詞字幕の背景映像として出力する場合、前記代替台本選出手段において、カラオケ演奏する楽曲の元歌アーティストとアーティスト属性が共通する他のアーティストの楽曲の集合について、それら他の楽曲に対応付けされている台本データ中の先頭の映像区分識別子を調べて、現に再生位置にセットされているメディアに対応しているものの台本データを選出することを特徴とする。
【０００９】
第３の発明は、第２の発明において、多数のメディアを選択的に再生位置にセットしながら動画映像を再生してカラオケ演奏時の歌詞字幕の背景映像として出力する場合、前記代替台本選出手段において、カラオケ演奏する楽曲の元歌アーティストとアーティスト属性が共通する他のアーティストの楽曲の集合のうち、カラオケ演奏する楽曲と音楽ジャンルが共通する他の楽曲の集合について、それら他の楽曲に対応付けされている台本データ中の先頭の映像区分識別子を調べて、現に再生位置にセットされているメディアに対応しているものの台本データを選出することを特徴とする。
【００１０】
第４の発明は、第２または第３の発明において、多数のメディアを選択的に再生位置にセットしながら動画映像を再生してカラオケ演奏時の歌詞字幕の背景映像として出力する場合、前記代替台本選出手段において、前記他の楽曲に対応付けされている台本データ中の先頭の映像区分識別子のうち、現に再生位置にセットされているメディアに対応しているものの台本データを、その最新性の高い順序に応じて１つ選出することを特徴とする。
【００１１】
第５の発明は、第２〜第４のいずれかの発明において、多数のメディアを選択的に再生位置にセットしながら動画映像を再生してカラオケ演奏時の歌詞字幕の背景映像として出力する場合、前記代替台本選出手段において、前記他の楽曲に対応付けされている台本データ中の先頭の映像区分識別子のうち、現に再生位置にセットされているメディアに対応しているものの台本データを、その最新性の高い順序に応じて１つ選出する処理を、現に再生位置にセットされているメディアに対応している映像区分識別子が選出されるまで繰り返すことを特徴とする。
【００１２】
【発明の実施の形態】
＝＝＝カラオケ装置の基本構成＝＝＝
図１は実施形態におけるカラオケ装置１の構成を示している。中央制御部１１は、内部にＣＰＵ、ＲＡＭ、ＲＯＭを含むマイコンであり、データバス１００や制御バス１１０を介して周辺各構成部とデータ通信を行い、このカラオケ装置１を制御／統括している。ハードディスク装置１２には多数曲分のカラオケデータに加え、カラオケ楽曲のＩＤ（楽曲番号）によって検索可能に対応づけられている種々のデータも格納されている。カラオケデータはＭＩＤＩ形式によって記述された伴奏音楽生成データと、その伴奏音楽の演奏に同期して描出すべき歌詞文字やその文字の属性（表示位置、表示色、表示／消去タイミング）を記述した歌詞描出データとをセットにしたものである。
【００１３】
中央制御部１１は、リモコン送信器１７や操作パネル１８からリクエスト楽曲のＩＤ入力を操作制御部１９を介して受け取ると、その入力順とＩＤとを対応づけてＲＡＭに格納し、楽曲の演奏予約登録を行う。そして、予約順番に従って該当する楽曲のカラオケデータを取り出す。そして、ＭＩＤＩデータをシンセサイザ１３に転送する。シンセサイザ１３はそのＭＩＤＩデータに従って、内蔵音源を制御して、カラオケ伴奏音楽を生成する。カラオケ伴奏音楽はミキシングアンプ１４でマイクロホン１５からの歌唱音声信号と混合されてスピーカ１６に音声出力される。一方、歌詞描出データに基づいて、歌詞画像に相当するビットマップ画像をビデオＲＡＭ２０に展開する。さらに、映像データベース部３０を制御して、適宜な背景映像用の映像信号を出力させる。映像制御部２１は、この背景映像を歌詞画像の背景としてスーパーインポーズ処理し、ディスプレイ２２に映像出力する。
【００１４】
＝＝＝映像データベースの構成＝＝＝
図２は映像データベース部３０の構成図を示している。映像データベース制御部３１は、カラオケ装置本体１の中央制御部１１とバス（１００、１１０）を介してデータ通信を行い、映像データベース部３０の各構成部を制御する。ディスク格納部３２は、多数枚（例：本実施例では１００枚）のＤＶＤ（以下、ディスク）（Ｄｉ：ｉは１〜１００の番号）を装填／収容している。各ディスクＤｉには、カラオケ伴奏音楽の演奏時に背景映像としてディスプレイに表示するために用意された長時間分（例：再生時間にして１３３分）の映像が、ＭＰＥＧ２規格によって符号化圧縮し適当な短時間で区分された区分映像として映像区分識別子を絡めて記録されている。２系統のディスクドライブ３３、３４は、ディスクローディング機構３５によってディスク格納部３２から供給されたディスクＤｉを駆動し、そのディスクＤｉに記録されている区分映像を映像区分識別子をキーに読み出す。入力切替部３６は、ディスクドライブ３３、３４から出力された区分映像の入力切替を行って、適宜な系統のディスクドライブ（３３、３４）からの区分映像をＭＰＥＧ２デコード部３７へ向けて出力する。ＭＰＥＧ２デコード部３７は入力した区分映像をリアルタイムで伸長・復号して映像信号を再生する。
【００１５】
多数枚のディスクＤｉは、それぞれディスク番号ｉ（ｉは１〜１００の整数）が割り振られており、その番号に従ってディスク格納部３２の所定の位置に装填されている。もちろん、各ディスクＤｉにも自身の番号の識別データが記録されている。また、１枚のディスクＤｉにおける所望のデータ記録位置にある区分映像には、データセクタ毎に割り当てられたセクタアドレスによってアクセスすることができる。所望のセクタアドレスには、ディスクＤｉに収録されている映像を最初から再生したときの経過時間に対応したタイムコード（分／秒／フレーム）を指定することによって１秒以下の時間単位でアクセスできる。
【００１６】
さらに、各ディスクＤｉにはＣＤにおける「トラック・ナンバー・サーチ」に相当するＶＴＳがあり、所定のＶＴＳ番号を指定することによって特定のセクタアドレスにアクセスすることができる。映像データベース制御部３１は、中央制御部１１からディスク番号ｉと、セクタアドレスまたはＶＴＳ番号とを受け取ると、ディスクローディング機構３５を制御して、適宜な系統のディスクドライブ（３３、３４）に該当のディスクＤｉをセットさせるとともに、このディスクＤｉを駆動させて所望の区分映像を読み出してつなぎあわせ、背景映像を再生する。なお、上述したディスク番号ｉと、セクタアドレスまたはＶＴＳ番号とのセット情報は、区分映像を特定する情報である「映像区分識別子」となる。
【００１７】
＝＝＝台本データと映像データベースの動作＝＝＝
あるカラオケ楽曲の演奏時に表示される背景映像は、多数のディスクＤｉに分散して記録されている短時間の映像素材（区分映像）をつなぎ合わせて編集したものである。映像データベース部３０では、２系統のディスクドライブ３３、３４が交互に交代で再生処理と再生準備とを受け持つことで、この区分映像をスムーズにつなぎ合わせている。このように短時間の区分映像をつなぎあわせて編集する根拠となるのが、台本データである。
【００１８】
この台本データは１楽曲の演奏中で使用される区分映像を映像区分識別子の順列でもって指定したものであり、例えば前記したディスク番号とタイムコードとをセットにした映像区分識別子でもって記述がなされている。台本データは、カラオケ楽曲毎にその楽曲番号によって対応づけられるとともに、その内容を表す台本属性を絡めてハードディスク装置１２に格納されている。台本属性には、対応する楽曲番号の他、例えば、「演歌にマッチする」、「女性ロックシンガーにマッチする」といった音楽ジャンルやアーティスト別の適合性を示すものや、より具体的に「冬の日本海をイメージに人生の愛別離苦を歌う演歌にマッチする」といったものも想定できる。勿論、台本データをある特定の楽曲に対応付けしない場合には楽曲番号の紐付けは行われない。裏返せば、台本データが制作されていない楽曲の楽曲番号はどの台本データにも紐付けられていないことになる。
【００１９】
なお、本実施例における各区分映像は、映像毎に起承転結のいずれかの意味づけが少なくともなされて記録されている。例えば「恋愛」をテーマとした楽曲向けに、男女の出会いのシーンといった恋物語の始まりを予感させるような「起」を想定した複数の素材映像群１、恋愛が発展してゆく様を描いたシーンといった「承」を想定した複数の素材映像群２、一転、恋愛が過渡期に入って恋模様が一変するシーンといった「転」を想定した複数の素材映像群３、様々な軌跡をたどりつつも最終的に幸せな結末を迎えるシーンといった「結」を想定した複数の素材映像群４がＣＤ−ＲＯＭなどを記録媒体とする映像データベースに集約されている。
【００２０】
勿論、この起承転結の意味づけに合わせて、前記した「恋愛」をフィットしやすい映像ジャンルとして意味づけするとしてもよい。この映像ジャンルの具体例としては、例えば他に、日本的情緒の映像、街の夜景の映像、悲しく雪が降る海の映像、激しい波の海の映像、日本の山の風景、日本の都会の夜景、外国の都会、外国の山、南の島、など情景を表現したもの、また、男女のハッピーエンド、家族のハッピーエンド、男女の悲劇などストーリー展開を表現したものとすることも可能である。このような具体性のある映像ジャンルを設定すれば、楽曲の属性に合った区分映像の選択がより確実となり、優れた台本データの制作・選定につながる。
【００２１】
上記素材映像群１と４は一定長（例：６０秒）で制作され、素材映像群２と３は９０秒程度で制作される。この素材映像群２および３の後半部分に関しては、再生途中で次の素材映像群３または４に切り替わったとしてもあまり違和感のないように、また所定の９０秒では再生時間が不足する長い楽曲の演奏時に対応するべく、リピート再生しても違和感のないように、風景や情景を描写したようなストーリー性の薄い映像内容で制作されている。
【００２２】
また、各楽曲の台本データとも、楽曲演奏の先頭部分６０秒は「起」にあたる区分映像（第１映像とする）の再生区間、後尾部分６０秒は「結」にあたる区分映像（第４映像とする）の再生区間が割り当てられ、他方、先頭部分と後尾部分とを除いた中間部分の楽曲演奏時間を適宜分割して「承」および「転」にあたる区分映像（第２映像および第３映像）の再生区間が割り当てられる。台本データが楽曲に跨ってこのような共通の構成をとることにより、他曲用に編集された台本データを借用しても楽曲演奏時間の差を吸収してスムーズな背景映像の再生が可能となるのである。
【００２３】
なお本実施例においては、各楽曲毎に候補１〜候補３までの３つの台本データが制作され楽曲毎に対応付けられている。図３（ｂ）における歌手別楽曲映像インデックスファイル３００は、楽曲毎に設定された候補１〜候補３の台本データ３０１を、アーティスト番号“５６２７”に対応する歌手の付帯番号“０１”〜“０５”なる楽曲のそれぞれについて集約したものである。このインデックスファイル３００の構造に見て取れるように、各楽曲は３候補の台本データ３０１を有し、各台本データ３０１は「起承転結」に相当する第１〜第４映像を特定する映像区分識別子３０２から構成されるのである。図中での映像区分識別子３０２は、“１０４”や“１０３”などといった単純な番号のみとなっているが、例えばこれらの番号とディスク番号およびセクタアドレスまたはＶＴＳ番号との対応テーブル（図示しない）を利用して区分映像の選択再生が実行されるとする。
【００２４】
中央制御部１１は、あるカラオケ楽曲の演奏処理を開始する際、カラオケデータとともに、該当の台本データをハードディスク装置１２より取り出し、映像データベース制御部３１に転送する。映像データベース制御部３１は、まず、ディスクローディング機構３５を制御して、例えば、ディスクドライブ３３へ楽曲先頭部つまり第１映像として使用する区分映像が収録されているディスクＤｊ（ｊは１〜１００の番号）を供給させる。さらに、楽曲中間部つまり第２映像に対応するディスクＤｋ（ｋはｊ以外の１〜１００の番号）をディスクドライブ３４に供給させる。
【００２５】
ディスクドライブ３３にディスクＤｊが供給され、所定のセクタアドレスから区分映像を読み出す準備ができたことを認知すると、その旨を中央制御部１１に通達する。中央制御部１１は、この通達を受けて、楽曲の演奏処理を開始し、映像データベース制御部３１に対して、区分映像の再生制御を開始させる。映像データベース制御部３１は、入力切替部３６の区分映像入力系統をディスクドライブ３３側に切り替え制御する。ＭＰＥＧ２デコード部３７は、入力したＭＰＥＧ２データをリアルタイムで伸長／復号して、その再生映像信号を映像制御部２１へ与える。
【００２６】
第１映像である区分映像の再生処理中に、ディスクドライブ３４は、第２映像である区分映像のデータ読み出し準備を完了させておく。第１映像の終了タイミングに同期させて、ディスクドライブ３４から第２映像たる区分映像の読み出しを開始させる。同時に、入力切替部３６をディスクドライブ３４側に入力切り替えさせる。また、ディスクローディング機構３５に、ディスクドライブ３３に装着されていたディスクＤｊを元の格納位置に戻させるとともに、第３映像である区分映像が記録されているディスクＤｌ（ｌはｋ以外の１〜１００の番号）をディスクドライブ３３に装着させる（もちろん、第３映像用の区分映像の所在がディスクＤｊにある場合は、ディスクＤｊは元の格納場所に戻さない）。
【００２７】
第３映像から第４映像への区分映像の切替は第１映像から第２映像への切替と同様である。このとき、演奏中の楽曲に続いてつぎに演奏すべき楽曲が予約登録されている場合は、その楽曲の台本データを取り出して第１映像として使用する区分映像の記録所在を取得する。そして、ディスクドライブ３４に装着されているディスクＤｋと、その楽曲の第１映像で使用される区分映像を記録したディスクＤｍ（ｍはｌ以外の１〜１００の番号）とを交換させる（もちろん、その楽曲の第１映像たる区分映像の所在がディスクＤｋ、Ｄｌにある場合など、交換しなくて済む場合もある）。
【００２８】
以上は、演奏予定の楽曲にオリジナルの台本データが設定されている場合の背景映像の再生制御である。本実施例では、演奏予定の楽曲に関してオリジナルの台本データが設定されていない場合の「緊急時」に、代替台本を的確に選択し、なおかつディスクＤｉをローディングし直すことなく、つぎの楽曲演奏を間断なく開始できる背景映像選択機能を備える。しかも、楽曲の属性が共通する、つまり雰囲気やストーリー性がマッチしやすい他の楽曲の台本データを代替使用することによって、カラオケ利用者の満足感向上やスムーズな感情移入の促進を可能としている。
【００２９】
＝＝＝代替台本の選択１＝＝＝
図３は本実施例における代替台本選択手順例１の概要を示す図であり、（ａ）は分類コードインデックスファイル、（ｂ）は歌手別楽曲映像インデックスファイル、（ｃ）は手順フローである。演奏予定である楽曲番号“５６２７−０６”なる楽曲Ａを演奏する状況に際して、そのオリジナルの台本データが台本データベースにまだ登録されていない場合を想定する。ここでいう台本データベースは、カラオケ装置１の上記ハードディスク装置１２において生成・管理されているものであり、前記歌手別楽曲映像インデックスファイル３００をそのデータ構成例として想定出来る。
【００３０】
楽曲番号“５６２７−０６”なる楽曲Ａを演奏する旨の入力を、カラオケ利用者から受け付けたカラオケ装置１は、まずこの楽曲Ａに関してオリジナルの台本データが台本データベースに登録されているか否かを判定する。この場合、楽曲番号のうち“５６２７”に注目し、これに対応付けされた歌手の前記歌手別楽曲映像インデックスファイル３００を台本データベースとして参照し、ここに“０６”なる楽曲とその台本データの存在有無を確認する。ここで“０６”に対応するオリジナルの台本データが既に登録済みであったならば、該当するオリジナル台本データに則って、第１〜第４映像を順次つなぎ合わせて再生し背景映像をディスプレイ上に出力する。
【００３１】
一方、ここで“５６２７−０６”なる楽曲Ａのオリジナルの台本データが存在しないと判明した場合、カラオケ装置１の中央制御部１１は、楽曲Ａと所定の分類属性が共通する他の楽曲を検索し、この他の楽曲に対応付けされて設定されている台本データを代替台本データとして採用する処理を行う。そこで、本実施例においては、楽曲Ａと共通する「所定の分類属性」として分類コードと元歌アーティストとに着目し、まずアーティスト番号“５６２７”なる元歌アーティストの楽曲を分類コードインデックスファイル３１０（図３（ａ））として集約し「分類属性が共通する他の楽曲の集合」とする。
【００３２】
前記した「分類コード」とは、例えば１〜１０までの１０パターンを設定しており、演歌、ポップス、ロック、ジャズ、Ｒ＆Ｂ、クラシック、軍歌、唱歌、童謡などといった音楽ジャンルが各パターン毎に意味づけされているものである。勿論、シングルカット曲、アルバム収録曲、ライブ録音曲などの分類パターン、作詞家Ａの曲、作詞家Ｂの曲、作詞家Ｃの曲、アーティストによる作詞の曲などの分類パターンといった他の様々な意味づけを行ってもよい。中央制御部１１は、この分類コードが楽曲Ａと同じ“３”である楽曲をアーティスト番号“５６２７”の元歌アーティストの楽曲に関して、分類コードインデックスファイル３１０において検索する。
【００３３】
続いて、検索された楽曲のうちで最も最新（本例では付帯番号が大きいほど最新曲とする）の“５６２７−０３”なる楽曲Ｂの台本データについて、歌手別楽曲映像インデックスファイル３００において参照し、各台本データにおける第１映像の映像区分識別子（台本候補１：１０３、台本候補２：１０９、台本候補３：１０１）を認識する。また、認識したこの映像区分識別子に対応する区分映像を収録したディスクが現にディスクドライブ３３または３４の再生位置にセットされているか判定する。実施例では、ディスクドライブ３３には映像区分識別子１０１に対応する区分映像を収録したディスクが、ディスクドライブ３４には映像区分識別子１０２に対応した区分映像を収録したディスクがセットされているから、映像区分識別子１０１に対応する区分映像を収録したディスクがディスクドライブ３３にセットされていることが確認される。
【００３４】
そこで、中央制御部１１は、映像区分識別子１０１を第１映像としている候補３の台本データ、つまり“５６２７−０３の候補３”なる台本データを代替台本データとして選択する。以下、この選択した代替台本データに基づいて、映像区分識別子１０１、１１６、１０３、１０６に対応する各第１〜第４の区分映像を、各々該当するディスクをディスクドライブ３３または３４においてつなぎ合わせて再生して楽曲Ａの背景映像として出力させる。本実施例によれば、元歌アーティストが同一であり、しかも音楽ジャンルが同じで、より最新の楽曲に関する代替台本データを選び出して、他楽曲用に迅速かつ簡便に借用することが可能となる。同じ元歌アーティスト用に制作され、しかもその制作時期が近い上に、音楽ジャンルも同一である楽曲の台本データを借用するのであるから、この台本データに基づいて再生される背景映像に違和感を感じる利用者はかなり少ないであろう。
【００３５】
＝＝＝代替台本の選択２＝＝＝
図４は本実施例における代替台本選択手順例２の概要を示す図であり、（ａ）は分類コードインデックスファイル、（ｂ）は歌手別楽曲映像インデックスファイル、（ｃ）は手順フローである。上で述べた代替台本の選択手順例１において、“５６２７−０３”なる楽曲Ｂの台本データについて認識した第１映像の映像区分識別子（台本候補１：１０３、台本候補２：１０９、台本候補３：１０１）に対応する区分映像を収録したディスクが現にディスクドライブ３３または３４の再生位置にセットされているか判定した際、ディスクドライブ３３、同３４のいずれにもセットされていないと判定された場合を想定する。
【００３６】
このような場合、中央制御部１１は、分類コードが楽曲Ａと同じ“３”である楽曲のうち、“５６２７−０３”なる楽曲Ｂ以外で、アーティスト番号“５６２７”の元歌アーティストの最新の楽曲に関して、分類コードインデックスファイル４１０において検索する。検索された楽曲の“５６２７−０２”なる楽曲Ｃの台本データについて、歌手別楽曲映像インデックスファイル４００において参照し、各台本データにおける第１映像の映像区分識別子（台本候補１：１０５、台本候補２：１０３、台本候補３：１１１）を認識する。
【００３７】
また、認識したこの映像区分識別子に対応する区分映像を収録したディスクが現にディスクドライブ３３または３４の再生位置にセットされているか判定する。実施例では、ディスクドライブ３３には映像区分識別子１０５に対応する区分映像を収録したディスクが、ディスクドライブ３４には映像区分識別子１０２に対応した区分映像を収録したディスクがセットされているから、映像区分識別子１０５に対応する区分映像を収録したディスクがディスクドライブ３３にセットされていることが確認される。
【００３８】
そこで、中央制御部１１は、映像区分識別子１０５を第１映像としている“５６２７−０２”なる楽曲Ｃの候補１の台本データを代替台本データとして選択する。以下、この代替台本データに基づいて、映像区分識別子１０５、１０２、１０７、１０８に対応する各第１〜第４の区分映像を、各々該当するディスクをディスクドライブ３３または３４においてつなぎ合わせて再生して楽曲Ａの背景映像として出力させる。以上のように、所定の属性情報に合致する第１映像が収録されたディスクのうち、ディスクドライブにおいて再生準備が整っているものが認識されるまで代替台本の選択手順２の処理を繰り返すことで、楽曲Ａに借用可能な代替台本データが選出されるのである。
【００３９】
＝＝＝その他＝＝＝
映像データベース部において、ＭＰＥＧ２デコード部を２系統備え、各デコード部からの２系統の再生映像信号を入力して、その１系統を切り替えて映像制御部へ入力させる構成としてもよい。また、適宜な信号経路に映像エフェクタ（映像信号処理部）などを挿入することで、区分映像がフェード・イン／フェード・アウトなどの特殊効果を付加しながら映像を切り替えることも可能である。
【００４０】
代替台本の選択機能に関連する種々のデータ（台本データや種々の属性データなど）は、カラオケデータなどに付帯したデータであってもよいし、楽曲番号に対応づけられたテーブルが存在して、別のデータファイルとしてハードディスク装置に格納されていてもよい。また、属性データとして、直接ＶＴＳやセクタアドレスを記述してもよい。カラオケ楽曲のＩＤに基づいて各種データが検索可能に適宜な記録場所に存在していればよいのである。
【００４１】
さらに、本実施例では、カラオケデータが記録されたディスク（カラオケデータのみのディスク、あるいは映像データと混在したディスク）Ｄｉも、ディスク格納部３２に収納されている。中央制御部１１は、ある楽曲の演奏予約を受け付けた時点で該当のカラオケデータをハードディスク装置１２内で検索し、該当のリクエスト楽曲のカラオケデータが無いときは、所定のディスクＤｉからそのカラオケデータを取りだして、ハードディスク装置１２にコピーしておく。実際の楽曲演奏時には、ハードディスク装置１２内から指定のカラオケデータを取り出す。
【００４２】
また、本実施例の映像データベースは、ＤＶＤやＣＤ−ＲＯＭを記録媒体としたディスクローディング機構と２系統のディスクドライブで構成したが、第１の発明では、この部分を２系統のハードディスクで構成してもよい。その場合、例えば、ハードディスクのセクタアドレスを複数のディスクのセクタアドレスを扱う場合と同等になるように置換管理するデバイスドライバを介在させればよい。
【００４３】
【発明の効果】
リリース直後の新曲など、次演奏予定の楽曲にオリジナルの台本データが設定されていない場合であっても、その楽曲にマッチして違和感の少ない台本データを他楽曲のものより借用して背景映像の再生を迅速かつスムーズに実行することが出来る。これにより、リリース直後の新曲などの台本データが設定されていない楽曲であっても、カラオケ利用者にとって違和感の少ない背景映像を迅速に提供することが可能なのである。
【００４４】
そこで本発明は、カラオケ演奏する楽曲にオリジナルの台本データが設定されていなかった場合に、カラオケ演奏する楽曲にマッチする台本データを簡便かつ迅速に選択し適宜な背景映像を再生可能な背景映像システムを提供することが可能となる。
【図面の簡単な説明】
【図１】本発明の実施例におけるカラオケ装置の構成図である。
【図２】上記実施例における映像データベース部の構成図である。
【図３】本実施例における代替台本選択手順例１の概要を示す図であり、（ａ）は分類コードインデックスファイル、（ｂ）は歌手別楽曲映像インデックスファイル、（ｃ）は手順フローである。
【図４】本実施例における代替台本選択手順例２の概要を示す図であり、（ａ）は分類コードインデックスファイル、（ｂ）は歌手別楽曲映像インデックスファイル、（ｃ）は手順フローである。
【符号の説明】
１  カラオケ装置
１１  中央制御部
１２  ハードディスク装置
３０  映像データベース部
３１  映像データベース制御部
Ｄｉ  ＤＶＤ
３３、３４  ディスクドライブ
３７  ＭＰＥＧ２デコード部
【図１】
0003893075.tif 000002
【図２】
0003893075.tif 000003
【図３】
0003893075.tif 000004
【図４】
0003893075.tif 000005